(57)【要約】【課題】営業員による外出先での携帯端末を用いた接触履歴の入力の際に、フリーテキストによる入力を排して単純な操作で容易に接触履歴の入力を可能とする。【解決手段】接触履歴の入力内容毎に設けられた複数の入力欄と、入力欄において入力されるべき内容に対応した候補単語１１３のリストを表示する候補単語パネルとを有する入力画面を表示し、候補単語パネルに表示された候補単語から選択されたものを入力欄に挿入するユーザインタフェース部１１１と、入力画面においてタッチパネルを介した営業員の操作により入力欄が選択された際に、予め保持している、入力欄において入力されるべき内容に対応した候補単語のリストを取得して、取得した候補単語のリストにより候補単語パネルの内容を切り替える候補単語表示部１１２と、各入力欄に挿入された候補単語１１３の連結からなる文字列に基づいて接触履歴１１５を得て記録する履歴保存部１１４とを有する。【選択図】図１
2014123294.tif 000002
【特許請求の範囲】
【請求項１】
タッチパネルを有する携帯端末からなり、営業員が顧客に対して行う外交営業を支援する情報を提供するとともに、外交営業の結果に係る情報である接触履歴の入力を受け付ける接触履歴入力装置であって、
接触履歴の入力内容毎に設けられた複数の入力欄と、前記入力欄において入力されるべき内容に対応した候補単語のリストを表示する候補単語パネルと、を有する入力画面を前記タッチパネル上に表示し、前記候補単語パネルに表示された前記候補単語から、前記タッチパネルを介した営業員の操作により選択されたものを前記入力欄に挿入するユーザインタフェース部と、
前記入力画面において前記タッチパネルを介した営業員の操作により第１の入力欄が選択された際に、予め保持している、前記第１の入力欄において入力されるべき内容に対応した第１の候補単語のリストを取得して、取得した前記第１の候補単語のリストにより前記候補単語パネルの内容を切り替える候補単語表示部と、
前記各入力欄に挿入された前記候補単語の連結からなる文字列に基づいて接触履歴を得て記録する履歴保存部と、を有する、接触履歴入力装置。
【請求項２】
請求項１に記載の接触履歴入力装置において、
前記入力画面における前記入力欄には、外交営業における顧客との接触内容を入力する入力欄、当該外交営業における当該顧客の反応を入力する入力欄、および次回の外交営業の予定を入力する入力欄を少なくとも含む、接触履歴入力装置。
【請求項３】
請求項１または２に記載の接触履歴入力装置において、
前記候補単語のリストは、接触履歴における入力内容に応じて階層構造によりカテゴリに分類されている、接触履歴入力装置。
【請求項４】
請求項１〜３のいずれか１項に記載の接触履歴入力装置において、
前記候補単語パネルは、前記入力画面における前記入力欄の入力内容に関わらず、数値、日時、および人物の顧客にとっての続柄のうち少なくとも１つ以上の分類について、営業員の操作により内容の選択を受け付けることが可能である、接触履歴入力装置。
【請求項５】
請求項１〜４のいずれか１項に記載の接触履歴入力装置において、
前記ユーザインタフェース部は、
前記入力欄に挿入された前記各候補単語について、前記タッチパネルを介した前記各候補単語に対する営業員の操作により、並べ替え、削除、および複製を含む処理を行う、接触履歴入力装置。
【請求項６】
請求項１〜５のいずれか１項に記載の接触履歴入力装置において、
前記候補単語表示部は、
前記候補単語パネルに前記候補単語のリストを表示する際に、外交営業における行動の目的語となる前記候補単語から、前記行動の内容を示す動詞である前記候補単語の順に、グルーピングして表示する、接触履歴入力装置。
【請求項７】
請求項１〜６のいずれか１項に記載の接触履歴入力装置において、
前記候補単語表示部は、
前記候補単語パネルに前記候補単語のリストを表示する際に、前記候補単語の分類毎に、前記候補単語を表示する際の外観を異ならせる、接触履歴入力装置。
【請求項８】
請求項１〜７のいずれか１項に記載の接触履歴入力装置において、
さらに、外交営業の対象の顧客に係る情報、および／または、当該接触履歴入力装置を用いて営業員により当該顧客に対して情報を提供した処理に係るログ情報に基づいて、当該外交営業の案件を特定するための情報、および／または、当該顧客に対して提供した情報に係る内容を取得して、対応する前記入力欄に挿入する入力補完部を有する、接触履歴入力装置。
【請求項９】
請求項１〜８のいずれか１項に記載の接触履歴入力装置において、
前記履歴保存部は、
記録した接触履歴の情報を、営業員の外交営業を支援する処理を行う情報処理端末もしくはサーバに転送する、接触履歴入力装置。
【発明の詳細な説明】
【技術分野】
【０００１】
本発明は、携帯端末を利用して文章等の情報を入力する技術に関し、特に、入力デバイスとしてタッチパネルを有する外交営業用の携帯端末を利用して、顧客との接触履歴等の文章を入力する接触履歴入力装置に適用して有効な技術に関するものである。
【背景技術】
【０００２】
例えば、銀行や証券会社、保険会社などの金融機関では、店舗に来店した顧客に対する営業活動に加えて、例えば、富裕層の顧客などに対しては、営業員が顧客の居所に出向いて営業活動を行う外交営業が行われる。このとき、営業員は、種々の金融商品についての説明や、運用等についての顧客からの相談に対するアドバイスや提案など、顧客とのコミュニケーションを通じてインタラクティブに営業活動を行う。
【０００３】
かつては、営業員が外交営業を行う際には、金融商品の説明資料や、顧客の運用状況等についての各種帳票など、多くの紙の資料を携行していたが、近年では、携帯端末の進歩に伴い、これらの情報を電子データとして携帯端末に保持し、もしくはネットワークを介して取得することで効率化を図ることが行われている。従来は専用の携帯端末が用いられる場合もあったが、近年では、特にｉＰａｄ（登録商標）などを始めとする比較的大画面のタッチパネルを有するタブレット型端末などが広く一般に普及してきたこともあり、このような汎用型の携帯端末を外交営業を支援するために活用することが検討されている。
【０００４】
携帯端末を利用した外交営業では、パンフレット等の説明資料を電子データ化して多数携行することで顧客に容易に提示するというような利用に加えて、例えば、顧客の現在の運用状況や資産状況等の情報に基づいてパラメータを様々に変化させて運用のシミュレーションを行い、その結果を顧客に直接見せることで参考情報とするなどの様々な活動が行われる。また、顧客に対してどのような説明を行ったか、顧客の反応や要望はどうだったかなどを後から確認できるようにするために、顧客との接触履歴を記録しておいて参照や分析が可能となるようにすることが行われる。
【０００５】
このような外交営業に関連する技術として、例えば、特開２００１−２２９２８６号公報（特許文献１）には、保険契約業務に関する情報をデータベース化して管理するサーバと、保険契約業務を行なう営業担当者が携帯する携帯端末と、を備え、インターネットを介してサーバの情報を携帯端末に伝達するシステムであり、サーバは、携帯端末からの情報の閲覧要求に対し、インターネット上に開設したホームページを通して情報を提供するとともに、携帯端末には、インターネットにアクセスしてホームページを閲覧するホームページ閲覧手段と、携帯電話機の無線通信網に接続可能な無線送信部、無線受信部、及び情報を表示する表示器が設けられる保険業務支援システムに係る技術が記載されている。
【０００６】
また、特開２００２−２５９６６９号公報（特許文献２）には、複数の顧客担当者が所持する携帯端末と、業務上の拠点に設けたられたコンピュータとを備え、前記携帯端末とコンピュータとは電子的に接続して情報の授受が可能な様に構成されており、前記コンピュータは、前記顧客情報を記憶すると共に、前記携帯端末の記憶手段から前記顧客情報の変動、新たな顧客情報或いは業務活動の結果を抽出して記憶し、且つ、必要な処理を行う手段を具備する顧客情報管理システムに係る技術が記載されている。
【０００７】
また、特開２００３−５０９０３号公報（特許文献３）には、顧客を識別する顧客識別情報、商品を識別する商品識別情報、及び前記顧客に前記商品の説明を行ったことを示す商品説明情報を含む履歴情報を保持する履歴データベースと、顧客識別情報及び商品識別情報を外部から取得し、取得した顧客識別情報及び商品識別情報を用いて履歴データベースを検索し、検索結果に基づき前記顧客に対する商品説明の要否を判定する商品説明要否判定部とを備える商品説明管理装置に係る技術が記載されている。
【先行技術文献】
【特許文献】
【０００８】
【特許文献１】特開２００１−２２９２８６号公報
【特許文献２】特開２００２−２５９６６９号公報
【特許文献３】特開２００３−５０９０３号公報
【発明の概要】
【発明が解決しようとする課題】
【０００９】
顧客に対して営業活動を行った営業員が顧客との接触履歴を自社の営業支援システム等に記録・登録するには、例えば、自社に戻ってから、自社内に設置された営業員用のＰＣ（Personal Computer）等の情報処理端末を利用して登録するような構成がとられる。しかしながら、この場合は、接触履歴を入力するためにわざわざ自社に戻る必要があるため、余計な負荷を要するとともに、入力までのタイムラグにより入力すべき事項が記憶から漏れてしまう可能性も高くなる。
【００１０】
これに対し、外出先で営業活動に用いたタブレット型端末などの携帯端末を利用して外出中に接触履歴を適宜入力可能とすることで、処理の効率化と入力内容の正確さの向上を図ることが考えられる。しかしながら、タブレット型端末において接触履歴の文章をタッチパネルを介して入力する際に用いられる汎用的なソフトウェアキーボードは、ハードウェアのキーボードと比較して大量の文字情報の入力には適しておらず、入力の効率が低下するという問題を有する。
【００１１】
また、接触履歴としてフリーテキストによる自由な入力を許容すると、例えば、顧客氏名や資産内容などの個人情報が記載されてしまうおそれがあり、外出先での入力の場合にはセキュリティ管理の観点から問題を有する。
【００１２】
そこで本発明の目的は、営業員による外出先での携帯端末を用いた接触履歴の入力の際に、フリーテキストによる入力を排して単純な操作で容易に接触履歴の入力を可能とする接触履歴入力装置を提供することにある。
【００１３】
本発明の前記ならびにその他の目的と新規な特徴は、本明細書の記述および添付図面から明らかになるであろう。
【課題を解決するための手段】
【００１４】
本願において開示される発明のうち、代表的なものの概要を簡単に説明すれば、以下のとおりである。
【００１５】
本発明の代表的な実施の形態による接触履歴入力装置は、タッチパネルを有する携帯端末からなり、営業員が顧客に対して行う外交営業を支援する情報を提供するとともに、外交営業の結果に係る情報である接触履歴の入力を受け付ける接触履歴入力装置であって、以下の構成を有する。
【００１６】
すなわち、接触履歴入力装置は、接触履歴の入力内容毎に設けられた複数の入力欄と、前記入力欄において入力されるべき内容に対応した候補単語のリストを表示する候補単語パネルと、を有する入力画面を前記タッチパネル上に表示し、前記候補単語パネルに表示された前記候補単語から、前記タッチパネルを介した営業員の操作により選択されたものを前記入力欄に挿入するユーザインタフェース部と、を有する。
【００１７】
また、前記入力画面において前記タッチパネルを介した営業員の操作により第１の入力欄が選択された際に、予め保持している、前記第１の入力欄において入力されるべき内容に対応した第１の候補単語のリストを取得して、取得した前記第１の候補単語のリストにより前記候補単語パネルの内容を切り替える候補単語表示部と、前記各入力欄に挿入された前記候補単語の連結からなる文字列に基づいて接触履歴を得て記録する履歴保存部と、を有する。
【発明の効果】
【００１８】
本願において開示される発明のうち、代表的なものによって得られる効果を簡単に説明すれば以下のとおりである。
【００１９】
すなわち、本発明の代表的な実施の形態によれば、営業員による外出先での携帯端末を用いた接触履歴の入力の際に、フリーテキストによる入力を排して単純な操作で容易に接触履歴の入力が可能となる。
【図面の簡単な説明】
【００２０】
【図１】本発明の一実施の形態である接触履歴入力装置を有する接触履歴入力システムの構成例について概要を示した図である。
【図２】本発明の一実施の形態におけるユーザインタフェース部により表示される接触履歴の入力画面の例について概要を示した図である。
【図３】本発明の一実施の形態における営業員が接触内容を入力する際の処理の流れの例について概要を示した図である。
【図４】（ａ）〜（ｃ）は、本発明の一実施の形態における入力欄に選択して入力された候補単語に対する操作の例について概要を示した図である。
【図５】本発明の一実施の形態における選択された入力欄に応じた候補単語パネルの切り替えの例について概要を示した図である。
【図６】本発明の一実施の形態における候補単語パネルの構成例について概要を示した図である。
【図７】本発明の一実施の形態における各候補単語を入力内容によって分類した情報を保持するテーブルのデータ構成と具体的なデータの例について概要を示した図である。
【図８】本発明の一実施の形態における各入力欄に対応する候補単語パネルの定義情報を保持するテーブルのデータ構成と具体的なデータの例について概要を示した図である。
【発明を実施するための形態】
【００２１】
以下、本発明の実施の形態を図面に基づいて詳細に説明する。なお、実施の形態を説明するための全図において、同一部には原則として同一の符号を付し、その繰り返しの説明は省略する。
【００２２】
本発明の一実施の形態である接触履歴入力装置は、外交営業を行った営業員が、外出先でタブレット型端末などのタッチパネルを有する携帯端末を利用して顧客との接触履歴を入力する際に、携帯端末のＯＳ（Operating System）が提供する汎用的なソフトウェアキーボードを利用せず、接触履歴の入力に特化した専用のソフトウェアキーボードを用いることで、全ての入力を入力可能な単語等の候補からの選択という形式によって行うことを可能とする。入力可能な単語等の候補については、営業員が容易に把握できるよう、入力内容のカテゴリ毎に階層構造により構造化して定義する。また、可能な事項については入力時に当該事項の内容を自動的に補完入力する。
【００２３】
これらにより、営業員による入力負荷を大きく低減し、外出先で携帯端末を用いる場合でも接触履歴の文章を容易に入力することを可能とするものである。また、単語等の候補からの選択による入力という形式をとることにより、接触履歴の入力内容に一定の制限を設け、顧客の個人情報や機密情報などの重要情報が混入することを防止するものである。
【００２４】
＜システム構成＞
図１は、本発明の一実施の形態である接触履歴入力装置を有する接触履歴入力システムの構成例について概要を示した図である。接触履歴入力システム１は、金融機関等の営業員が顧客に対して行った営業活動について、その内容や結果等の情報である接触履歴の入力を営業員から受け付けてこれを記録するシステムである。例えば、企業や部署、営業員などによる営業活動を支援するサービスを提供する一般的な営業支援システムを構成する営業支援サーバ３００に対して、ＬＡＮ（Local Area Network）等のネットワーク４００を介して営業員等が使用するクライアント端末である営業支援端末２００が接続される構成を有する。
【００２５】
この営業支援端末２００は、通常は自社の営業所等に設置され、外出先から戻った営業員から顧客との接触履歴等の情報の入力を受け付けることができる。必要に応じて営業支援サーバ３００に接触履歴を送信して営業支援サーバ３００上で接触履歴を蓄積して記録するようにしてもよい。ここで入力される接触履歴は、セキュリティ管理がされている自社の施設内での入力であることから、顧客の個人情報等を含むフリーテキストによる自由な入力形式とすることが可能である。
【００２６】
一方、接触履歴入力装置１００は、営業員が外出先で顧客に対して行う営業活動を支援する携帯端末であり、上述したように、例えば、入力装置としてタッチパネルを有するタブレット型端末などによって実装される。外出先で顧客に対して営業活動を行えるようにするため、無線通信等により営業支援端末２００（もしくはネットワーク４００を介して営業支援サーバ３００）に対して接続し、営業用の各種資料や訪問先の顧客情報（個人情報を含まない）などを取得して保持することができる。また、営業活動の結果として営業員からの接触履歴の入力を受け付け、入力された１つ以上の接触履歴の情報を、自社に戻った際に営業支援端末２００（もしくは営業支援サーバ３００）に対してアップロードして登録することができる。
【００２７】
接触履歴入力装置１００は、例えば、図示しないＯＳ上で稼働するソフトウェアプログラムとして実装される接触履歴入力部１１０、および営業支援ツール１２０などの各部を有する。また、データベースやファイルテーブル、データファイル等の形式で実装される営業支援コンテンツ１２１、顧客情報１２２、およびツール使用ログ１２３などの各データを保持する。
【００２８】
接触履歴入力部１１０は、営業員からの接触履歴の入力を支援する処理を行う機能を有し、例えば、ユーザインタフェース部１１１、候補単語表示部１１２、履歴保存部１１４、および入力補完部１１６などの各部を有する。また、候補単語１１３、および接触履歴１１５などの各データを保持する。
【００２９】
ユーザインタフェース部１１１は、接触履歴を入力するための入力画面をタッチパネル上に表示し、また、当該入力画面に対するタッチパネルを介した営業員の操作による入力を受け付ける機能を有する。入力画面や操作の内容については後述する。候補単語表示部１１２は、上記の接触履歴の入力画面に、候補となる単語の選択形式により入力可能とするための専用のソフトウェアキーボードに相当するものとして、候補単語１１３のリストからなる候補単語パネルを表示する機能を有する。候補単語１１３のリストについては、予め、後述するように接触履歴の入力内容のカテゴリ毎に階層構造により構造化して定義しておく。
【００３０】
履歴保存部１１４は、上記の入力画面を介して入力された内容、すなわち、候補単語パネルから選択された１つ以上の候補単語１１３の連結からなる文字列に基づいて、助詞等を含まない形の擬似的な文章からなる接触履歴１１５を得て保持するとともに、これを営業支援端末２００（もしくは営業支援サーバ３００）にアップロードする機能を有する。接触履歴１１５の擬似文章を所定の自然言語処理によって文章となる（もしくは文章に近くなる）ように整形する機能を有していてもよいが、処理負荷がかかる一方、候補単語１１３がキーワードとして適切に設定されていれば、整形されていない擬似文章であっても内容は当事者にとって十分理解することが可能なものとなる。
【００３１】
入力補完部１１６は、営業員が上記の入力画面を介して接触履歴を入力する際に、接触履歴に含まれ得る項目であり、かつ営業員の選択によらずに一義的に内容が決定される所定の項目について自動的にデータを取得して接触履歴に挿入することで営業員の入力処理を補完する機能を有する。例えば、営業員が営業活動の際に接触履歴入力装置１００上で使用した営業支援ツール１２０や、画面上に表示させた営業資料のタイトルの情報などを、営業活動の実施のログであるツール使用ログ１２３から取得して、営業員の選択を待たずに自動的に接触履歴の入力欄に挿入する。
【００３２】
営業支援ツール１２０は、営業員の外交営業を支援するアプリケーションプログラム等からなる１つ以上のツール群であり、例えば、資産運用のシミュレーションツールや、ポートフォリオ管理ツール、各種データや営業資料などのビューワプログラムなどが含まれる。
【００３３】
営業支援コンテンツ１２１には、例えば、パンフレットやレポート、営業資料などの各種コンテンツのデータファイルが含まれる。また、顧客情報１２２は、訪問予定の１人以上の顧客に係る情報（個人情報を含まない）を、営業支援端末２００（もしくは営業支援サーバ３００）から予め取得して保持するものである。ツール使用ログ１２３は、上述したように、接触履歴入力装置１００を使用した営業員による営業活動の実施のログの情報であり、例えば、営業支援ツール１２０の実行ログや、営業支援コンテンツ１２１の参照ログなどが含まれる。
【００３４】
＜入力画面＞
図２は、ユーザインタフェース部１１１により表示される接触履歴の入力画面の例について概要を示した図である。当該画面は、接触履歴入力装置１００のタッチパネル上に表示され、営業員が指等によって画面に触れることで、接触履歴入力装置１００に対する操作や入力を受け付けるものである。
【００３５】
接触履歴入力画面は、例えば、営業員の外交営業を支援する営業支援サービスにおける顧客管理のための画面の一部等として構成される。顧客管理画面は、例えば、図示するように、顧客毎（図２の例では“顧客１”〜“顧客３”）にタブにより管理画面を切り替えられるように構成されており、さらに、選択された顧客（図２の例では“顧客１”）について、さらにタブにより情報の表示・入力の画面（図２の例では“顧客サマリ”、“接触履歴”、“預り明細”、“メニュー”）が切り替えられるように構成されている。なお、個人情報保護の観点から、顧客を特定可能な氏名等の情報を表示しないようにするため、各顧客は“顧客１、２、３、…”や、“あ、い、う、…”、“Ａ、Ｂ、Ｃ、…”などの記号的な情報で特定し、各記号と実際の顧客との関連付けは営業員自身が内心で管理するようにする。
【００３６】
接触履歴を入力するためのタブでは、図示するように、定型的に入力する項目を入力するための規定項目入力領域１１１ａと、接触履歴の内容を入力するための接触内容入力領域１１１ｂ、および接触履歴の内容を入力する際の候補単語を選択するための専用のソフトウェアキーボードに相当する候補単語パネル１１１ｃが表示されている。
【００３７】
規定項目入力領域１１１ａの各入力欄は、全て選択形式により入力を受け付ける。例えば、“日時”の入力欄では、営業員が当該入力欄をタッチすると、カレンダーやドラムリール、ドロップダウンリストなどの選択用画面コントロールを表示して、営業員により選択された日時の内容を入力内容とする。
【００３８】
また、他の項目の入力欄では、ドラムリールやドロップダウンリストなどの選択用画面コントロールに、予め定義された候補単語１１３の内容を設定して表示し、営業員からの選択を受け付ける。また、例えば“案件”の入力欄などでは、入力補完部１１６により、対象の顧客と関連付けられている案件を特定する案件番号などの情報を顧客情報１２２等から取得して自動的に設定して補完する。これらにより、営業員による入力負荷を低減させることができる。
【００３９】
接触内容入力領域１１１ｂでは、顧客との接触履歴として通常入力されるべき内容を４つに分類し、各分類に対応して４つの入力欄を設けている。具体的には、図中の上から順に、当日の顧客との接触内容を入力する入力欄（以下では“入力欄Ａ”とする）、顧客の反応を入力する入力欄（以下では“入力欄Ｂ”とする）、顧客からのヒアリング内容における特記事項を入力する入力欄（以下では“入力欄Ｃ”とする）、次回の外交営業の予定を入力する入力欄（以下では“入力欄Ｄ”とする）、の４つの入力欄を設けている。本実施の形態では、このうち、少なくとも、“入力欄Ａ”、“入力欄Ｂ”、“入力欄Ｄ”の３つに相当する入力欄は有するものとする。なお、各入力欄には、対応する分類に応じて、予め書き出しの定型句（図中では、「本日、」、「顧客の反応は、」、「ヒアリングの内容は、」、「次回、」）が自動的に設定されている。
【００４０】
営業員は、接触履歴を入力するため、後述するように、入力内容に対応する入力欄をタッチ操作により選択し（図中では“入力欄Ａ”を選択）、候補単語表示部１１２により候補単語パネル１１１ｃに表示された候補単語１１３のリストから入力したい単語をタッチ操作により選択することで、接触内容を入力していく。候補単語表示部１１２が候補単語パネル１１１ｃに表示する各候補単語１１３は、例えば、図示するように、タブにより階層的にカテゴリ分類された上でボタンやアイコン等により並べて配置されており、営業員が目的の単語に効率的にアクセスすることが可能である。また、接触内容入力領域１１１ｂにおいて営業員が選択した入力欄に応じて、候補単語パネル１１１ｃの内容を自動的に切り替えることで、入力内容に適した候補単語１１３のみが表示されるように制御する。
【００４１】
図３は、営業員が接触内容を入力する際の処理の流れの例について概要を示した図である。上述したように、営業員は、まず、接触内容入力領域１１１ｂにおいて入力しようとする内容に対応する入力欄をタッチ操作により選択する（図中では“入力欄Ａ”を選択したものとし、他の入力欄の表示は省略する）。このとき、当該入力欄における内容に含まれ得る項目であり、かつ営業員の選択によらずに一義的に内容が決定される所定の項目について、入力補完部１１６により自動的にデータを取得して入力欄に挿入することで営業員の入力処理を補完する。例えば、営業員が接触履歴入力装置１００上で使用した営業支援ツール１２０や顧客に提示した営業資料等の情報をツール使用ログ１２３から取得して、整形した上で入力欄に自動的に挿入する（図３の例では「預り明細で、」を挿入）。
【００４２】
その後、候補単語パネル１１１ｃに表示された候補単語１１３のリストから接触内容に関連して入力したい単語をタブを操作する等により探し出して、タッチ操作により選択する。図３の例では、“接触内容”の下層の“サービスの提案・説明”タブから、“相続対策”の単語と“ご提案”の単語を順にタッチして選択したことを示している。この入力操作により、“入力欄Ａ”には、さらにこれらの単語が順に挿入される。
【００４３】
このような操作の繰り返しにより候補単語を順次入力し、図２における接触内容入力領域１１１ｂの各入力欄に対する入力が完了すると、営業員は、図２における画面右上部の“登録”ボタンを押下する。これにより、規定項目入力領域１１１ａおよび接触内容入力領域１１１ｂの各入力欄に入力された内容が、履歴保存部１１４により接触履歴１１５として記録される。
【００４４】
なお、このとき、本実施の形態では、営業員が接触内容入力領域１１１ｂの各入力欄において選択して入力した各候補単語１１３について、定型句も含めてそのままの配置で連結した文字列からなる接触履歴１１５として記録し、単語間での助詞等の補充などの整形は行わないものとする。また、営業員により選択して入力された候補単語１１３が存在しない入力欄については、定型句も含めて何も入力されていないブランクとして取り扱う。
【００４５】
図４は、入力欄に選択して入力された候補単語１１３に対する操作の例について概要を示した図である。図４（ａ）では、ドラッグ・アンド・ドロップ操作により候補単語１１３の並び順を変更する場合の例を示している。“あああ”、“いいい”、“ううう”、“えええ”の順に入力欄に選択・入力された４つの候補単語１１３について、上段の図に示すように、営業員が“いいい”を選択し、ドラッグして“ううう”と“えええ”との間にドロップする。これにより、下段の図に示すように、並び順を“あああ”、“ううう”、“いいい”、“えええ”のように変更することができる。
【００４６】
図４（ｂ）では、候補単語１１３を入力欄の外にドラッグ・アンド・ドロップすることで削除する場合の例を示している。“あああ”、“いいい”、“ううう”、“えええ”の順に入力欄に選択・入力された４つの候補単語１１３について、上段の図に示すように、営業員が“いいい”を選択し、入力欄の外にドラッグしてドロップする。これにより、“いいい”を削除し、空いたスペースを詰めた上で、並び順を“あああ”、“ううう”、“えええ”のように変更することができる。
【００４７】
図４（ｃ）では、候補単語１１３を複製する場合の例を示している。“あああ”、“いいい”、“ううう”、“えええ”の順に入力欄に選択・入力された４つの候補単語１１３について、上段の図に示すように、営業員が“いいい”を選択してダブルタップすることでコピーモードに入る。その後、中段の図に示すように、営業員が“いいい”を選択し、ドラッグして“ううう”と“えええ”との間にドロップすると、下段の図に示すように、ドロップした位置に“いいい”の内容をコピーし、全体の並び順を“あああ”、“いいい”、“ううう”、“いいい”、“えええ”のように変更することができる。このように、タッチパネル上での候補単語１１３に対する各婦操作により、選択後の編集作業を行うことができる。
【００４８】
図５は、選択された入力欄に応じた候補単語パネル１１１ｃの切り替えの例について概要を示した図である。図示するように、接触内容入力領域１１１ｂの各入力欄に対して、対象の入力欄での入力内容に適した候補単語１１３のみが表示されるように制御された候補単語パネル１１１ｃが候補単語表示部１１２により用意され、営業員が入力欄を選択することで自動的に対応する候補単語パネル１１１ｃに切り替えられる。
【００４９】
図６は、候補単語パネル１１１ｃの構成例について概要を示した図である。各候補単語パネル１１１ｃでは、目的の候補単語１１３に効率的にアクセスできるよう、入力内容のカテゴリをタブにより階層的に分類しており、営業員は、タブを選択することで入力カテゴリを切り替えることができる。本実施の形態では、カテゴリは最大で２階層としているがこれに限られない。
【００５０】
各タブでは、対象のカテゴリに属し、関連性や因果関係のある候補単語１１３をグルーピングして１つの領域に並べて配置することで、カテゴリを頻繁に切り替えることなく接触内容を入力することができる。また、１つの領域に複数のグループの単語を配置する場合、例えば、外交営業活動における行動の目的語となる単語を上部に配置し、行動の内容を示す動詞を下部に配置することで、上から下に向かって候補単語１１３を順に選択する形となり、スムーズに接触内容を入力することができる。また、目的語となる単語と動詞とで、選択のためのボタンやアイコン等の配色や形等の外観を変更することで、グルーピングの内容が直感的に把握しやすいようにする。
【００５１】
＜データ構成＞
図７は、各候補単語１１３を入力内容によって分類した情報を保持するテーブルのデータ構成と具体的なデータの例について概要を示した図である。当該テーブルでは、候補単語１１３を“分類１”と“分類２”の最大２階層の階層構成によって分類する。図７の例では、接触履歴への入力内容として、“接触先”、“接触手段”、“接触内容”、および“接触結果”の各分類についてそれぞれ入力するための１つ以上の候補単語を定義している。また、入力内容に関わらず汎用的に用いられ、どの候補単語パネル１１１ｃにも含まれるものとして“数値”や“日時”、“人物”の分類も有する。ここで、“人物”の分類は、対象の人物の顧客にとっての続柄を指定するものである。なお、“数値”や“日時”の分類については候補単語１１３に相当するものは予め定まっているため、候補の単語ではなく数値や日時を指定するための画面コントロール等の種別により定義するものとする。
【００５２】
“内容優先度”や“頻度”などの項目は、対象の分類に属する各候補単語１１３が、接触内容入力領域１１１ｂの各入力欄（“入力欄Ａ”〜“入力欄Ｄ”）の入力内容に対して有する表示上の優先度や、全体として想定される利用頻度の情報を保持する。この内容に基づいて、対象の分類に属する候補単語１１３を、各入力欄に対応する候補単語パネル１１１ｃに表示する際の表示位置を、例えば、優先度が高いものほど上部に表示する、などのように制御することが可能である。表示の優先度以外に表示自体の要否を制御するようにしてもよい。また、図７の例では、優先度等を“高”、“中”、“低”で区分しているが（“汎用”は全ての候補単語パネル１１１ｃに含まれる）、これをより詳細に数値等により区分するようにしてもよい。
【００５３】
図８は、接触内容入力領域１１１ｂの各入力欄に対応する候補単語パネル１１１ｃの定義情報を保持するテーブルのデータ構成と具体的なデータの例について概要を示した図である。当該テーブルでは、接触内容入力領域１１１ｂの各入力欄に対応する候補単語パネル１１１ｃにタブ形式で表示するカテゴリの定義と、当該カテゴリに含まれる図７に示された候補単語１１３の分類の定義に係る情報を保持する。
【００５４】
カテゴリは、接触内容入力領域１１１ｂの各入力欄に対応する“入力内容”毎に、図７に示した分類と合わせて“カテゴリ１”と“カテゴリ２”の最大２階層の階層構成によって区分する。“パネル内グループ”、“表示位置”、および“分類”の項目では、対象のタブ内に表示する候補単語１１３についての１つ以上の分類を特定する情報と、これらの分類に含まれる候補単語１１３を営業員が選択しやすいようにタブ内で区分して表示するためのグルーピングおよび表示位置の情報を保持する。
【００５５】
例えば、“表示位置”の項目の値が“１”や“２”となっている分類については、タブ内で上から順に１番目、２番目、というようにグルーピングして候補単語１１３を表示する。このとき、上述したように、グルーピング毎に候補単語１１３を表示するためのボタン等の配色や形等の外観を変更して、営業員がグルーピングを把握しやすいようにする。“表示位置”の項目の値は、上述したように、例えば、行動の目的語となる単語から行動の内容を示す動詞の順になるように設定する。なお、本実施の形態では、表示位置を数値により多段に設定できるようにしているが、例えば、“上段”、“下段”のように段数を固定するようにしてもよい。また、“表示位置”の項目の値が“（自動）”となっている分類については、入力補完部１１６により項目の値が自動的に挿入されるものであることを示している。
【００５６】
候補単語表示部１１２は、候補単語１１３に係る図７、図８に示したような構成のデータに基づいて、例えば、起動時に、接触内容入力領域１１１ｂの各入力欄の入力内容に対応したタブの階層構造や候補単語１１３のリストを有する候補単語パネル１１１ｃをそれぞれ作成して図示しないメモリ上などに保持しておく。これにより、営業員のタッチパネルの操作に応じて、予め作成された候補単語パネル１１１ｃを動的に適宜切り替えて表示することができる。
【００５７】
なお、上述の図７、図８で示した各テーブルのデータ構成（項目）はあくまで一例であり、同様のデータを保持・管理することが可能な構成であれば、他のテーブル構成やデータ構成であってもよい。
【００５８】
以上に説明したように、本発明の一実施の形態である接触履歴入力装置１００によれば、外交営業を行った営業員が、外出先でタッチパネルを有する携帯端末により接触履歴を入力する際に、汎用的なソフトウェアキーボードを利用せず、接触履歴の入力に特化した専用のソフトウェアキーボードである候補単語パネル１１１ｃを用いることで、全ての入力を候補単語１１３等からの選択という形式によって行うことが可能となる。候補単語１１３については、営業員が容易に把握できるよう、入力内容のカテゴリ毎に階層構造により構造化して定義する。また、可能な事項については入力時に当該事項の内容を自動的に補完入力する。
【００５９】
これらにより、営業員による入力負荷を大きく低減し、外出先でタッチパネルを有する携帯端末により接触履歴を入力する場合でも文章を単純な操作により容易に入力することが可能となる。また、入力内容に応じて切り替えられる候補単語パネル１１１ｃに表示された候補単語１１３からの選択による入力という形式をとることにより、接触履歴として入力可能な内容に一定の制限を設け、顧客の個人情報や機密情報などの重要情報が混入することを防止することが可能となる。
【００６０】
以上、本発明者によってなされた発明を実施の形態に基づき具体的に説明したが、本発明は上記の実施の形態に限定されるものではなく、その要旨を逸脱しない範囲で種々変更可能であることはいうまでもない。例えば、上記の実施の形態は本発明を分かりやすく説明するために詳細に説明したものであり、必ずしも説明した全ての構成を備えるものに限定されるものではない。また、上記の実施の形態の構成の一部について、他の構成の追加・削除・置換をすることが可能である。
【産業上の利用可能性】
【００６１】
本発明は、入力デバイスとしてタッチパネルを有する外交営業用の携帯端末を利用して、顧客との接触履歴等の文章を入力する接触履歴入力装置に利用可能である。
【符号の説明】
【００６２】
１…接触履歴入力システム、
１００…接触履歴入力装置、１１０…接触履歴入力部、１１１…ユーザインタフェース部、１１２…候補単語表示部、１１３…候補単語、１１４…履歴保存部、１１５…接触履歴、１１６…入力補完部、１２０…営業支援ツール、１２１…営業支援コンテンツ、１２２…顧客情報、１２３…ツール使用ログ、
２００…営業支援端末、
３００…営業支援サーバ、
４００…ネットワーク。
【図１】
2014123294.tif 000003
【図２】
2014123294.tif 000004
【図３】
2014123294.tif 000005
【図４】
2014123294.tif 000006
【図５】
2014123294.tif 000007
【図６】
2014123294.tif 000008
【図７】
2014123294.tif 000009
【図８】
2014123294.tif 000010